(57)【要約】【課題】ホワイトバランスのキャリブレーションを簡便に行える表示装置及び表示装置の制御方法を提供することを目的とする。【解決手段】表示装置は、バックライトと、画像を表示する表示部と、バックライトを第１の色で発光させたときに表示部に表示された画像の色の測定値である第１の測定値と、バックライトを第２の色で発光させたときに表示部に表示された画像の色の測定値である第２の測定値とを記憶する記憶部と、第２の測定値を用いて求められる色空間変換係数を用いて第１の測定値をバックライトに基づく色空間の値である測定輝度値に変換するバックライト輝度算出部と、色空間変換係数を用いて第１の測定値の色空間と同じ色空間の値で示される目標白点設定値をバックライトの目標輝度値に変換する目標輝度算出部と、測定輝度値を用いて目標輝度値を前記バックライトに対する駆動値に変換する駆動値変換部と、を備える。【選択図】図１
2015119447.tif 000002
【特許請求の範囲】
【請求項１】
バックライトと、
画像を表示する表示部と、
前記バックライトを第１の色で発光させたときに前記表示部に表示された画像の色の測定値である第１の測定値と、前記バックライトを第２の色で発光させたときに前記表示部に表示された画像の色の測定値である第２の測定値と、を記憶する記憶部と、
前記第２の測定値を用いて求められる色空間変換係数を用いて、前記第１の測定値を、前記バックライトに基づく色空間の値である測定輝度値に変換するバックライト輝度算出部と、
前記色空間変換係数を用いて、前記第１の測定値の色空間と同じ色空間の値で示される目標白点設定値を、前記バックライトの目標輝度値に変換する目標輝度算出部と、
前記測定輝度値を用いて、前記目標輝度値を前記バックライトに対する駆動値に変換する駆動値変換部と、
を備えることを特徴とする表示装置。
【請求項２】
前記バックライト輝度算出部は、
前記測定輝度値を用いて、前記目標輝度値と前記駆動値とを対応付けた変換テーブルをさらに作成し、
前記駆動値変換部は、
前記変換テーブルを用いて、前記目標輝度値を前記駆動値に変換する
ことを特徴とする請求項１に記載の表示装置。
【請求項３】
前記駆動値変換部が変換した前記駆動値のうちのいずれかが予め定められている最大値以上である場合、最大値を超えている前記駆動値に応じて、他の駆動値も制限する制限部
を備えることを特徴とする請求項１または請求項２に記載の表示装置。
【請求項４】
前記駆動値変換部が変換した前記駆動値のうち２つの駆動値を比較した結果に基づいて、比較した２つの駆動値のうちいずれか１つの駆動値を再作成する比較部を備え、
前記制限部は、
前記比較部が再作成した駆動値と、前記駆動値変換部が作成した前記駆動値のうち前記比較部で比較に用いられなかった駆動値とのうちのいずれかが予め定められている最大値以上である場合、最大値を超えている前記駆動値に応じて、他の駆動値も制限する
ことを特徴とする請求項３に記載の表示装置。
【請求項５】
前記記憶部は、
前記バックライトを前記第２の色で発光させたときに第５の色の画像信号に基づき前記表示部に表示された画像の色の測定値である前記第２の測定値を、第１の原色校正点データとして記憶し、
前記バックライトを第３の色で発光させたときに前記第５の色の画像信号に基づき前記表示部に表示された画像の色の測定値を、第２の原色校正点データとして記憶し、
前記バックライトを第４の色で発光させたときに前記第５の色の画像信号に基づき前記表示部に表示された画像の色の測定値を、第３の原色校正点データとして記憶し、
前記バックライト輝度算出部は、
前記第１の原色校正点データ〜第３の原色校正点データを用いて、前記色空間変換係数を求める
ことを特徴とする請求項１から請求項４のいずれか１項に記載の表示装置。
【請求項６】
前記記憶部は、
前記バックライトを第４の色で発光させたときに第６の色の画像信号に基づき前記表示部に表示された画像の色の測定値である前記第２の測定値を、第１の原色校正点データとして記憶し、
前記バックライトを第４の色で発光させたときに第７の色の画像信号に基づき前記表示部に表示された画像の色の測定値を、第２の原色校正点データとして記憶し、
前記バックライトを第３の色で発光させたときに第５の色の画像信号に基づき前記表示部に表示された画像の色の測定値を、第３の原色校正点データとして記憶し、
前記バックライト輝度算出部は、
前記第１の原色校正点データ〜第３の原色校正点データを用いて、色空間変換係数を求める
ことを特徴とする請求項１から請求項４のいずれか１項に記載の表示装置。
【請求項７】
前記記憶部は、
前記バックライトを前記第１の色で発光させたときに前記第５の色の画像信号に基づき前記表示部に表示された画像の色の測定値である前記第１の測定値を、白色校正点データとして記憶し、
前記バックライト輝度算出部は、
前記色空間変換係数を用いて、前記白色校正点データを前記測定輝度値に変換する
ことを特徴とする請求項５または請求項６に記載の表示装置。
【請求項８】
バックライトを第１の色で発光させたときに画像を表示する表示部に表示された画像の色の測定値である第１の測定値と、前記バックライトを第２の色で発光させたときに前記表示部に表示された画像の色の測定値である第２の測定値と、を記憶する記憶手順と、
前記第２の測定値を用いて求められる色空間変換係数を用いて、前記第１の測定値を、前記バックライトに基づく色空間の値である測定輝度値に変換するバックライト輝度算出手順と、
前記バックライト輝度算出手順によって求められた前記色空間変換係数を用いて、前記第１の測定値の色空間と同じ色空間の値で示される目標白点設定値を、前記バックライトの目標輝度値に変換する目標輝度算出手順と、
前記目標輝度算出手順によって変換された前記測定輝度値を用いて、前記目標輝度値を前記バックライトに対する駆動値に変換する駆動値変換手順と、
を含むことを特徴とする表示装置の制御方法。
【発明の詳細な説明】
【技術分野】
【０００１】
本発明は、表示装置及び表示装置の制御方法に関する。
【背景技術】
【０００２】
従来技術における液晶表示装置は、ＲＧＢカラーフィルタ基板、液晶層、バックライト装置などで構成されている。このような液晶表示装置のバックライト装置は、赤色、緑色、青色、紫色などの光源の光を混合して白色光を発光させて、液晶表示装置における表示色の再現範囲を向上させることが提案されている。
【０００３】
これらの多色を用いるバックライト装置では、ＹｘｙまたはＸＹＺ値で利用者によって指定される指定白点を表示するホワイトバランス調整を、各色のバックライトの輝度を変化させて行っている（例えば、特許文献１参照）。
【先行技術文献】
【特許文献】
【０００４】
【特許文献１】特開平５−１２７６２０号公報
【発明の概要】
【発明が解決しようとする課題】
【０００５】
しかしながら、指定白点を表示するためのバックライトの駆動値の決定が難しいため、一般的には、カラーセンサをバックライト装置に内蔵し、カラーセンサの検出値をフィードバック制御する必要があった。または、バックライト装置に外付けのカラーセンサを取り付け、カラーセンサの検出値をフィードバック制御する必要があった。これらのカラーセンサは高価であり、さらに外付けする場合は、取り付けが可能な液晶パネルが限られてしまっていた。
【０００６】
また、カラーセンサを用いてホワイトバランスのキャリブレーションを行う場合、多数の白点を調整するため作業に多くの時間を要したり、設定できる白点の範囲が限定されたり、白点変更頃に再キャリブレーションが必要であった。
【０００７】
本発明は、上記の問題点に鑑みてなされたものであって、ホワイトバランスのキャリブレーションを簡便に行える表示装置及び表示装置の制御方法を提供することを目的とする。
【課題を解決するための手段】
【０００８】
上記目的を達成するため、本発明に係る表示装置は、バックライトと、画像を表示する表示部と、前記バックライトを第１の色で発光させたときに前記表示部に表示された画像の色の測定値である第１の測定値と、前記バックライトを第２の色で発光させたときに前記表示部に表示された画像の色の測定値である第２の測定値と、を記憶する記憶部と、前記第２の測定値を用いて求められる色空間変換係数を用いて、前記第１の測定値を、前記バックライトに基づく色空間の値である測定輝度値に変換するバックライト輝度算出部と、前記色空間変換係数を用いて、前記第１の測定値の色空間と同じ色空間の値で示される目標白点設定値を、前記バックライトの目標輝度値に変換する目標輝度算出部と、前記測定輝度値を用いて、前記目標輝度値を前記バックライトに対する駆動値に変換する駆動値変換部と、を備える。
【０００９】
上記目的を達成するため、本発明に係る表示装置の制御方法は、バックライトを第１の色で発光させたときに画像を表示する表示部に表示された画像の色の測定値である第１の測定値と、前記バックライトを第２の色で発光させたときに前記表示部に表示された画像の色の測定値である第２の測定値と、を記憶する記憶手順と、前記第２の測定値を用いて求められる色空間変換係数を用いて、前記第１の測定値を、前記バックライトに基づく色空間の値である測定輝度値に変換するバックライト輝度算出手順と、前記バックライト輝度算出手順によって求められた前記色空間変換係数を用いて、前記第１の測定値の色空間と同じ色空間の値で示される目標白点設定値を、前記バックライトの目標輝度値に変換する目標輝度算出手順と、前記目標輝度算出手順によって変換された前記測定輝度値を用いて、前記目標輝度値を前記バックライトに対する駆動値に変換する駆動値変換手順と、を含む。
【発明の効果】
【００１０】
本発明によれば、ホワイトバランスのキャリブレーションを簡便に行える。
【図面の簡単な説明】
【００１１】
【図１】第１実施形態に係る表示装置の概略構成のブロック図である。
【図２】第１実施形態に係る駆動値を変化させたときのＢＬの波長と光量の関係を説明する図である。
【図３】第１実施形態に係る駆動値を変化させたときのＢＬの光量の関係を説明する図である。
【図４】第１実施形態に係るＢＬ駆動制御部の概略構成のブロック図である。
【図５】第１実施形態に係るバックライト駆動装置が行う処理手順のフローチャートである。
【図６】第２実施形態に係る表示装置の概略構成のブロック図である。
【図７】第２実施形態に係るバックライトに用いられる光源の断面図である。
【図８】第２実施形態に係るＢＬ駆動制御部の概略構成のブロック図である。
【図９】第２実施形態に係るバックライト駆動装置が行う処理手順のフローチャートである。
【発明を実施するための形態】
【００１２】
［第１実施形態］
以下、図面を用いて本発明の実施形態について詳細に説明する。
図１は、本実施形態に係る表示装置１の概略構成のブロック図である。図１に示すように、表示装置１は、バックライト装置２及び表示部４を備える。バックライト装置２には、映像出力装置３及び表示部４が接続される。また、キャリブレーション時のみ、表示部４に対してカラーセンサ５が設置される。
【００１３】
カラーセンサ５は、表示部４上の表示色を測定し、測定した結果であるＸＹＺ値をＢＬ（Ｂａｃｋ  Ｌｉｇｈｔ；バックライト）駆動制御部２０に出力する。カラーセンサ５は、例えば、人間の眼と同じ感度に構成されたセンサや、分光した波長成分を測定するセンサである。
映像出力装置３は、映像信号をバックライト装置２に出力する。映像出力装置３は、例えば、ＰＣ（パーソナルコンピュータ）、携帯端末等である。
【００１４】
表示部４は、例えば液晶パネルである。表示部４に搭載される表示素子は、液晶方式以外の表示素子、例えば有機エレクトロルミネッセンス表示素子、無機エレクトロルミネッセンス表示素子、ＰＡＬＣ（Ｐｌａｓｍａ  Ａｄｄｒｅｓｓ  Ｌｉｑｕｉｄ  Ｃｒｙｓｔａｌ；プラズマ・アドレス液晶）、ＰＤＰ（Ｐｌａｓｍａ  Ｄｉｓｐｌａｙ  Ｐａｎｅｌ）やＦＥＤ（Ｆｉｅｌｄ  Ｅｍｉｓｓｉｏｎ  Ｄｉｓｐｌａｙ）であってもよい。
【００１５】
バックライト装置２は、目標白点記憶部１０、ＢＬ駆動制御部２０、Ｒ−ＢＬ駆動回路３０、Ｇ−ＢＬ駆動回路４０、Ｂ−ＢＬ駆動回路５０、及び３原色ＢＬ６０を備える。
図１に示すように、本実施形態のバックライト装置２は、赤色（Ｒ；例えば第２の色）、緑色（Ｇ；例えば第３の色）、青色（Ｂ；例えば第４の色）を混合して白色（例えば第４の色）光を発光させる。
【００１６】
目標白点記憶部１０には、例えば、バックライト装置２の使用者が予め設定した白色発光の際のＲ−ＢＬ６１、Ｇ−ＢＬ６２、及びＢ−ＢＬ６３に対する設定値が記憶されている。設定値とは、例えば、本実施形態のバックライト装置２を液晶表示装置に適用した場合、使用者が表示部４上の表示を見ながら、Ｒ−ＢＬ６１、Ｇ−ＢＬ６２、及びＢ−ＢＬ６３の輝度を白色発光されていると使用者が感じるように調整し、図示しない操作部で設定された値である。
【００１７】
ＢＬ駆動制御部２０は、キャリブレーション時、白色の映像信号を表示部４に表示させたまま、ＢＬ駆動値を赤色付近、緑色付近、青色付近、及び白色付近の波長になるように制御されているとき、表示部４の取り付けられたカラーセンサ５が測定した結果を受け取る。
【００１８】
ＢＬ駆動制御部２０は、ホワイトバランス設定時、各色付近のＢＬ駆動時にカラーセンサ５が測定したＸＹＺ値（原色校正点データ）に基づいて、バックライトの色空間であるＲＧＢ輝度とＸＹＺ値を交互に変換する色空間変換係数を周知の技術によって作成する。この色空間変換係数は、３行３列の内積で表される。また、ＢＬ駆動制御部２０は、ホワイトバランス設定時、白色付近のＢＬ駆動時にカラーセンサ５が測定したＸＹＺ値（白色校正点データ）を、作成した色空間変換係数を用いてＲＧＢ輝度に変換する。そして、ＢＬ駆動制御部２０は、ホワイトバランス設定時、変換したＲＧＢ輝度から輝度−駆動値変換ＬＵＴ（ＬｏｏｋＵｐ  Ｔａｂｌｅ；ルックアップテーブル）を作成する。そして、ＢＬ駆動制御部２０は、作成した色空間変換係数を用いて、ＸＹＺ値の目標白点を、バックライト色空間であるＲＧＢの目標輝度に変換する。そして、ＢＬ駆動制御部２０は、変換したＲＧＢそれぞれの目標輝度を、Ｒ−ＢＬ駆動回路３０、Ｇ−ＢＬ駆動回路４０、及びＢ−ＢＬ駆動回路５０に出力する。
なお、ＢＬ駆動制御部２０の構成については、後述する。
【００１９】
Ｒ−ＢＬ駆動回路３０は、ＢＬ駆動制御部２０が出力する駆動信号に基づき、３原色ＢＬ６０のＲ−ＢＬ６１を駆動する。
Ｇ−ＢＬ駆動回路４０は、ＢＬ駆動制御部２０が出力する駆動信号に基づき、３原色ＢＬ６０のＧ−ＢＬ６２を駆動する。
Ｂ−ＢＬ駆動回路５０は、ＢＬ駆動制御部２０が出力する駆動信号に基づき、３原色ＢＬ６０のＢ−ＢＬ６３を駆動する。なお、Ｒ−ＢＬ駆動回路３０、Ｇ−ＢＬ駆動回路４０、Ｂ−ＢＬ駆動回路５０の出力信号は、ＰＷＭ（Ｐｕｌｓｅ  Ｗｉｄｔｈ  Ｍｏｄｕｌａｔｉｏｎ；パルス幅変調）方式の信号（以下、ＰＷＭ信号という）である。
【００２０】
３原色ＢＬ６０は、Ｒ−ＢＬ６１、Ｇ−ＢＬ６２、及びＢ−ＢＬ６３を備える。
Ｒ−ＢＬ６１は、Ｒ−ＢＬ駆動回路３０が出力する駆動信号により赤色の光を発する光源である。赤色の光の中心波長は、例えば約６６０［ｎｍ］である。
Ｇ−ＢＬ６２は、Ｇ−ＢＬ駆動回路４０が出力する駆動信号により緑色の光を発する光源である。緑色の光の中心波長は、例えば約５４０［ｎｍ］である。
Ｂ−ＢＬ６３は、Ｂ−ＢＬ駆動回路５０が出力する駆動信号により青色の光を発する光源である。青色の光の中心波長は、例えば約４６０［ｎｍ］である。
Ｒ−ＢＬ６１、Ｇ−ＢＬ６２、及びＢ−ＢＬ６３は、例えば発光ダイオード（ＬＥＤ；Ｌｉｇｈｔ  Ｅｍｉｔｔｉｎｇ  Ｄｉｏｄｅ）、または半導体レーザーである。
【００２１】
図２は、本実施形態に係る駆動値を変化させたときのＢＬの波長と光量の関係を説明する図である。図２において、横軸は波長、縦軸は光量である。
図２において符号ｇ１が示す波形は、Ｂ−ＢＬ６３の波形であり、符号ｇ２が示す波形は、Ｇ−ＢＬ６２の波形であり、符号ｇ３が示す波形は、Ｒ−ＢＬ６１の波形である。また、符号ｇ４及びｇ５が示す波形は、Ｂ−ＢＬ６３の駆動値を、符号ｇ１の波形の状態から駆動信号であるＰＷＭ信号のディーティ（Ｄｕｔｙ）を低くしていったときの波形である。すなわち、符号ｇ２の波形のディーティは、符号ｇ１の波形のデューティより低く、符号ｇ３の波形のディーティは、符号ｇ２の波形のデューティより低い。バックライトの光源がＲＧＢの３色のＬＥＤである場合、図２に示したように、駆動値を変更しても、光量がピーク値の波長が変化せず、光量のみが変化する。図２では、Ｂ−ＢＬ６３のみの例を示したが、Ｒ−ＢＬ６１及びＢ−ＢＬ６２についても同様に、駆動値を変更しても、光量がピーク値の波長が変化せず、光量のみが変化する。このように光量のピーク値が変化しないため、色座標が変化しないことを示している
【００２２】
図３は、本実施形態に係る駆動値を変化させたときのＢＬの光量の関係を説明する図である。図３において、横軸は駆動値、縦軸は光量である。
図３において、符号ｇ１１が示す直線は、Ｒ−ＢＬ６１、Ｇ−ＢＬ６２、及びＢ−ＢＬ６３の駆動値と光量との関係を示している。符号ｇ１１が示す直線のように、光量は、ほぼ駆動値に正比例する。
【００２３】
次に、ＢＬ駆動制御部２０について説明する。
図４は、本実施形態に係るＢＬ駆動制御部２０の概略構成のブロック図である。図４に示すように、ＢＬ駆動制御部２０は、ＢＬ特性記憶部２０１、ＢＬ輝度算出部２０２、目標輝度算出部２０３、Ｒ輝度−駆動値変換係数２０７、Ｇ輝度−駆動値変換係数２０８、Ｂ輝度−駆動値変換係数２０９、及び駆動値制限部２１０を備える。
【００２４】
ＢＬ特性記憶部２０１は、原色校正点記憶部２０１１及び白色校正点記憶部２０１２を備える。
原色校正点記憶部２０１１には、キャリブレーションの際、白色の映像信号が表示部４上に表示され、ＢＬ駆動値が赤色付近、緑色付近、及び青色付近それぞれに設定されたときカラーセンサ５が出力したＸＹＺ値が記憶される。
白色校正点記憶部２０１２には、キャリブレーションの際、白色の映像信号が表示部４上に表示され、ＢＬ駆動値が白色付近に設定されたときカラーセンサ５が出力したＸＹＺ値が記憶される。
【００２５】
ＢＬ輝度算出部２０２は、原色校正点記憶部２０１１に記憶されている原色校正点データに基づいて、バックライトの色空間であるＲＧＢ輝度とＸＹＺ値を交互に変換する色空間変換係数を周知の技術によって求める。ＢＬ輝度算出部２０２は、求めた色空間変換係数を、例えば原色校正点記憶部２０１１に記憶させる。ＢＬ輝度算出部２０２は、白色校正点記憶部２０１２に記憶されている白色校正点データを、求めた色空間変換係数を用いてＲＧＢ輝度に変換する。ＢＬ輝度算出部２０２は、変換したＲＧＢ輝度から、ＲＧＢ独立の１Ｄ＿ＬＵＴ（１次元ルックアップテーブル）である輝度−駆動値変換ＬＵＴを作成する。作成されたＲ輝度−駆動値変換ＬＵＴ２０７〜Ｂ輝度−駆動値変換ＬＵＴ２０９は、白点校正データを補完した特性を示す。図３を用いて説明したように、輝度が駆動値にほぼ正比例するため、ＬＵＴがほぼ直線になる。このため、本実施形態では、白色校正点は、１〜２点程度でよく、キャリブレーションを簡便に行える。
【００２６】
目標輝度算出部２０３は、ＢＬ輝度算出部２０２によって作成された色空間変換係数を用いて、目標白点記憶部１０に記憶されている目標白点（ＸＹＺ値）をバックライトの色空間であるＲＧＢの輝度目標値に変換する。次に、目標輝度算出部２０３は、変換したＲＧＢの輝度目標値それぞれを、Ｒ輝度−駆動値変換部２０７〜Ｂ輝度−駆動値変換部２０９に出力する。
【００２７】
Ｒ輝度−駆動値変換部２０７には、ＢＬ輝度算出部２０２によって作成されたＲ輝度−駆動値変換ＬＵＴが格納される。また、Ｒ輝度−駆動値変換部２０７は、目標輝度算出部２０３が出力するＲ輝度目標値２０４を、格納されているＲ輝度−駆動値変換ＬＵＴに入力して、Ｒ−ＢＬ６１に対するＲバックライト駆動値に変換し、変換したＲバックライト駆動値をＲ−ＢＬ駆動回路３０に出力する。
【００２８】
Ｇ輝度−駆動値変換部２０８には、ＢＬ輝度算出部２０２によって作成されたＧ輝度−駆動値変換ＬＵＴが格納される。また、Ｇ輝度−駆動値変換部２０８は、目標輝度算出部２０３が出力するＧ輝度目標値２０５を、格納されているＧ輝度−駆動値変換ＬＵＴに入力して、Ｇ−ＢＬ６２に対するＧバックライト駆動値に変換し、変換したＧバックライト駆動値をＧ−ＢＬ駆動回路４０に出力する。
【００２９】
Ｂ輝度−駆動値変換部２０９には、ＢＬ輝度算出部２０２によって作成されたＢ輝度−駆動値変換ＬＵＴが格納される。また、Ｂ輝度−駆動値変換部２０９は、目標輝度算出部２０３が出力するＢ輝度目標値２０６を、格納されているＢ輝度−駆動値変換ＬＵＴに入力して、Ｂ−ＢＬ６３に対するＢバックライト駆動値に変換し、変換したＢバックライト駆動値をＢ−ＢＬ駆動回路５０に出力する。
【００３０】
駆動値制限部２１０には、Ｒ輝度−駆動値変換部２０７〜Ｂ輝度−駆動値変換部２０９が変換したバックライト駆動値が入力される。次に、駆動値制限部２１０は、入力されたバックライト駆動値が、予め定められている最大値未満であるか否かを判別する。駆動値制限部２１０は、入力されたバックライト駆動値が、予め定められている最大値以上である場合、最大値を超えているバックライト駆動値に応じて、他のバックライト駆動値も制限する。例えば、最大値がＭａ、Ｒ―ＢＬ駆動値が１．２Ｍａ、Ｇ−ＢＬ駆動値が１．０Ｍａ、Ｂ−ＢＬ駆動値が０．９Ｍａの場合、駆動値制限部２１０は、全てのバックライト駆動値を、例えば０．８３倍することで、最大値を超えないように制限する。このように、最大値を超えているバックライト駆動値以外にも制限をかける理由は、ＲＧＢ全体の色バランスを保つためである。
駆動値制限部２１０は、比較の結果、入力されたバックライト駆動値が、予め定められている最大値未満である場合、入力されたバックライト値に対して制限を行わない。駆動値制限部２１０は、制限後のＲバックライト駆動値をＲ−ＢＬ駆動回路３０に出力し、制限後のＧバックライト駆動値をＧ−ＢＬ駆動回路４０に出力し、制限後のＢバックライト駆動値をＢ−ＢＬ駆動回路５０に出力する。
【００３１】
次に、バックライト装置２が行う処理について説明する。図５は、本実施形態に係るバックライト装置２が行う処理手順のフローチャートである。なお、図５において、ステップＳ１〜Ｓ６の処理は、キャリブレーション時にバックライト装置２によって行われる処理である。また、ステップＳ７〜Ｓ１４の処理は、ホワイトバランス設定時にバックライト装置２によって行われる処理である。
【００３２】
まず、キャリブレーション時の処理について説明する。
（ステップＳ１）利用者は、表示部４の画面上に、カラーセンサ５を設置する。次に、映像出力装置３は、白色の映像信号をバックライト装置２に出力する。次に、バックライト装置２は、映像出力装置３が出力した映像信号を、表示部４の画面上に表示する。
【００３３】
（ステップＳ２）白色の映像信号が表示部４の画面上に表示されているとき、例えば映像出力装置３の指示に応じて目標輝度算出部２０３は、ＢＬ駆動値を赤色付近になるように設定する。
（ステップＳ３）白色の映像信号が表示部４の画面上に表示されているとき、例えば映像出力装置３の指示に応じて目標輝度算出部２０３は、ＢＬ駆動値を緑色付近になるように設定する。
【００３４】
（ステップＳ４）白色の映像信号が表示部４の画面上に表示されているとき、例えば映像出力装置３の指示に応じて目標輝度算出部２０３は、ＢＬ駆動値を青色付近になるように設定する。
（ステップＳ５）白色の映像信号が表示部４の画面上に表示されているとき、例えば映像出力装置３の指示に応じて目標輝度算出部２０３は、ＢＬ駆動値を白色付近になるように設定する。
【００３５】
（ステップＳ６）ＢＬ駆動制御部２０は、ステップＳ２のときカラーセンサ５によって測定された画面表示色（ＸＹＺ値；（１）色）を取得し、取得した画面表示色を原色校正点記憶部２０１１に記憶させる。次に、ＢＬ駆動制御部２０は、ステップＳ３のときカラーセンサ５によって測定された画面表示色（ＸＹＺ値；（２）色）を取得し、取得した画面表示色を原色校正点記憶部２０１１に記憶させる。次に、ＢＬ駆動制御部２０は、ステップＳ４のときカラーセンサ５によって測定された画面表示色（ＸＹＺ値；（３）色）を取得し、取得した画面表示色を原色校正点記憶部２０１１に記憶させる。なお、（１）〜（３）色の関するデータを、原色校正点データという。次に、ＢＬ駆動制御部２０は、ステップＳ５のときカラーセンサ５によって測定された画面表示色（ＸＹＺ値；（４）色）を取得し、取得した画面表示色を白色校正点記憶部２０１２に記憶させる。
以上で、キャリブレーション処理を終了する。なお、キャリブレーションに要する時間は、例えば１分間である。なお、キャリブレーション終了後、利用者は、カラーセンサ５を表示部４から外す。
【００３６】
次に、ホワイトバランス設定時の処理について説明する。
（ステップＳ７）ＢＬ輝度算出部２０２は、原色校正点記憶部２０１１に記憶されている原色校正点データ（（１）〜（３）色）に基づいて、バックライトの色空間であるＲＧＢ輝度とＸＹＺ値を交互に変換する色空間変換係数を周知の技術によって求める。
（ステップＳ８）ＢＬ輝度算出部２０２は、白色校正点記憶部２０１２に記憶されている白色校正点データ（（４）色）を、求めた色空間変換係数を用いてＲＧＢ輝度に変換する。
【００３７】
（ステップＳ９）ＢＬ輝度算出部２０２は、ステップＳ８で変換したＲＧＢ輝度から、ＲＧＢ独立の１Ｄ＿ＬＵＴである輝度−駆動値変換ＬＵＴを作成する。
【００３８】
（ステップＳ１０）目標輝度算出部２０３は、ＢＬ輝度算出部２０２によって作成された色空間変換係数を用いて、目標白点記憶部１０に記憶されている目標白点（ＸＹＺ値）をバックライトの色空間であるＲＧＢの輝度目標値に変換する。次に、目標輝度算出部２０３は、変換したＲＧＢの輝度目標値それぞれを、Ｒ輝度−駆動値変換部２０７〜Ｂ輝度−駆動値変換部２０９に出力する。
【００３９】
（ステップＳ１１）Ｒ輝度−駆動値変換部２０７〜Ｂ輝度−駆動値変換部２０９それぞれは、目標輝度算出部２０３が出力したＲ輝度目標値２０４〜Ｂ輝度目標値２０６それぞれを、各変換ＬＵＴに入力してバックライト駆動値に変換する。
【００４０】
（ステップＳ１２）駆動値制限部２１０には、Ｒ輝度−駆動値変換部２０７〜Ｂ輝度−駆動値変換ＬＵＴ２０９が変換したバックライト駆動値が入力される。次に、駆動値制限部２１０は、入力されたバックライト駆動値が、予め定められている最大値未満であるか否かを判別する。駆動値制限部２１０は、入力されたバックライト駆動値が、予め定められている最大値以上である場合、最大値を超えているバックライト駆動値に応じて、他のバックライト駆動値も制限する。駆動値制限部２１０は、比較の結果、入力されたバックライト駆動値が、予め定められている最大値未満である場合、入力されたバックライト値に対して制限を行わない。
【００４１】
（ステップＳ１３）ＢＬ駆動制御部２０は、作成した制限後のバックライト駆動値それぞれを、Ｒ−ＢＬ駆動回路３０〜Ｂ−ＢＬ駆動回路５０に出力する。次に、Ｒ−ＢＬ駆動回路３０〜Ｂ−ＢＬ駆動回路５０それぞれは、入力されたバックライト駆動値に応じて、Ｒ−ＢＬ６１〜Ｂ−ＢＬ６３を駆動して発光させる。
（ステップＳ１４）バックライト装置２は、映像出力装置３が出力した映像信号を、表示部４の画面上に表示させる。
以上でホワイトバランス設定時の処理を終了する。本実施形態では、これらの処理によって、利用者が指定して目標白点（Ｙｘｙ値）に対するバックライト駆動値を得ることができる。
【００４２】
以上のように、本実施形態の表示装置１は、バックライト（例えばＲ−ＢＬ６１、Ｇ−ＢＬ６２、Ｂ−ＢＬ６３）と、画像を表示する表示部（例えば表示部４）と、バックライトを第１の色（例えば白色）で発光させたときに表示部に表示された画像の色の測定値である第１の測定値（例えばＸＹＺ）と、バックライトを第２の色（例えば赤色）で発光させたときに表示部に表示された画像の色の測定値である第２の測定値（例えばＲＢＧ）と、を記憶する記憶部（例えばＢＬ特性記憶部２０１）と、第２の測定値を用いて求められる色空間変換係数を用いて、第１の測定値を、バックライトに基づく色空間の値である測定輝度値に変換するバックライト輝度算出部（例えばＢＬ輝度算出部２０２）と、色空間変換係数を用いて、第１の測定値の色空間と同じ色空間の値で示される目標白点設定値を、バックライトの目標輝度値に変換する目標輝度算出部（例えば目標輝度算出部２０３）と、測定輝度値を用いて、目標輝度値をバックライトに対する駆動値に変換する駆動値変換部（例えばＲ輝度−駆動値変換部２０７、Ｇ輝度−駆動値変換部２０８、Ｂ輝度−駆動値変換部２０９）と、を備える。
【００４３】
また、本実施形態の表示装置１において、記憶部（例えばＢＬ特性記憶部２０１）は、バックライトを第２の色（例えば赤色）で発光させたときに第５の色（例えば白色）の画像信号に基づき表示部に表示された画像の色の測定値である第２の測定値を、第１の原色校正点データとして記憶し、バックライトを第３の色（例えば緑色）で発光させたときに第５の色の画像信号に基づき表示部に表示された画像の色の測定値を、第２の原色校正点データとして記憶し、バックライトを第４の色（例えば青色）で発光させたときに第５の色の画像信号に基づき表示部に表示された画像の色の測定値を、第３の原色校正点データとして記憶し、バックライト輝度算出部（例えばＢＬ輝度算出部２０２）は、第１の原色校正点データ〜第３の原色校正点データを用いて、色空間変換係数を求める。
【００４４】
この構成によって、本実施形態の表示装置１は、出荷時に表示装置１にカラーセンサ５を取り付けてキャリブレーションを行い、測定された結果をＢＬ特性記憶部２０１に書き込んで出荷する。以後、表示装置１は、ＢＬ特性記憶部２０１に記憶されたデータを用いて、ホワイトバランスの調整を行う。これにより、本実施形態の表示装置１では、利用者がカラーセンサを購入する必要がない。
【００４５】
また、図３及び図４に示したバックライトの特性より、本実施形態によれば、出荷時の１回のキャリブレーション時に測定された１点〜数点の校正点データのみで、全白点の駆動値を構成することができる。この結果、本実施形態によれば、出荷時、１回のキャリブレーションで済むため、調整にかかる工数を削減することができる。
また、出荷後、利用者によって使用されるとき、多数の白点設定に対しても、１回のキャリブレーションで経年劣化に対する補正を行うことができる。
【００４６】
なお、本実施形態では、３色の光源の例としてＬＥＤを説明したが、光源は例えば冷陰極蛍光管（ＣＣＦＬ；Ｃｏｌｄ  Ｃａｔｈｏｄｅ  Ｆｌｕｏｒｅｓｃｅｎｔ  Ｌａｍｐ）であってもよい。この場合、図２及び図３で説明した駆動値と光量との比例関係が低下するため、３色のＬＥＤを用いる場合よりも多くの白色校正点をキャリブレーション時に取得することが好ましい。例えば、３色のＬＥＤを用いた表示装置１の場合の取得する白色校正点は、１〜３点であり、ＣＣＦＬを用いたバックライト装置の場合の取得する白色校正点は、５〜１０点である。
【００４７】
また、本実施形態では、バックライトをＰＷＭ信号のディーティを調整することで駆動する例を説明したが、これに限られない。例えば電流値を制御するようにしてもよい。この場合、図２に示した波長と光量との図において、波長のピークが駆動値に依存して変化することになるため、低い駆動値では表示白点の精度が低下する場合もある。このため、例えば、予め定め定められている電流値以上の駆動値で駆動するように制御するようにしてもよい。
【００４８】
［第２実施形態］
第１実施形態の表示装置１では、ＲＧＢの３色のバックライトを用いて白色光のバックライトを作成する例を説明したが、本実施形態では、２色のバックライトを用いて白色光のバックライトを作成する例を説明する。
【００４９】
図６は、本実施形態に係る表示装置１Ａの概略構成のブロック図である。図６に示すように、表示装置１Ａは、バックライト装置２Ａ及び表示部４を備える。バックライト装置２Ａには、映像出力装置３及び表示部４が接続される。また、キャリブレーション時のみ、表示部４に対してカラーセンサ５が設置される。
また、バックライト装置２Ａは、目標白点記憶部１０、ＢＬ駆動制御部２０Ａ、Ｇ−ＢＬ駆動回路４０、Ｂ−ＢＬ駆動回路５０、ハイブリッドＢＬ７０、及びビデオゲイン調整部８０を備える。なお、第１実施形態のバックライト装置２と同じ機能を有する機能部については、同じ符号を用いて説明を省略する。
【００５０】
ＢＬ駆動制御部２０Ａは、キャリブレーション時、白色の映像信号を表示部４に表示させたまま、ＢＬ駆動値を赤色付近、緑色付近、青色付近、及び白色付近の波長になるように制御されているとき、表示部４の取り付けられたカラーセンサ５が測定した結果を受け取る。
【００５１】
ＢＬ駆動制御部２０Ａは、ホワイトバランス設定時、各色付近のＢＬ駆動時にカラーセンサ５が測定したＸＹＺ値（原色校正点データ）に基づいて、バックライトの色空間であるＲＧＢ輝度とＸＹＺ値を交互に変換する色空間変換係数を周知の技術によって作成する。この色空間変換係数は、３行３列の内積で表される。また、ＢＬ駆動制御部２０Ａは、ホワイトバランス設定時、白色付近のＢＬ駆動時にカラーセンサ５が測定したＸＹＺ値（白色校正点データ）を、作成した色空間変換係数を用いてＲＧＢ輝度に変換する。ＢＬ駆動制御部２０Ａは、ホワイトバランス設定時、変換したＲＧＢ輝度から輝度−駆動値変換ＬＵＴ（ＬｏｏｋＵｐ  Ｔａｂｌｅ；ルックアップテーブル）を作成する。ＢＬ駆動制御部２０Ａは、作成した色空間変換係数を用いて、ＸＹＺ値の目標白点を、バックライト色空間であるＲＧＢの目標輝度に変換する。ＢＬ駆動制御部２０Ａは、変換したＲＧＢそれぞれの目標輝度を、Ｇ−ＢＬ駆動回路４０及びＢ−ＢＬ駆動回路５０に出力する。
【００５２】
さらに、ＢＬ駆動制御部２０Ａは、Ｇ−ＢＬ駆動回路４０及びＢ−ＢＬ駆動回路５０に出力する各駆動値を比較した結果に基づいて、ＲＧＢの映像信号のうち、Ｂ（青）信号のゲインの指示（Ｂビデオゲインともいう）またはＲ（赤）信号のゲインの指示（Ｒビデオゲインともいう）を作成する。ＢＬ駆動制御部２０Ａは、作成したＢ信号のゲインの指示またはＲ信号のゲインの指示を映像信号制御値としてビデオゲイン調整部８０に出力する。
なお、ＢＬ駆動制御部２０Ａの構成については、後述する。
【００５３】
ハイブリッドＢＬ７０は、Ｇ−ＢＬ７０１、Ｂ−ＢＬ７０２、及び蛍光体７０３を備える。
Ｇ−ＢＬ７０１は、Ｇ−ＢＬ駆動回路４０が出力する駆動信号により緑色の光を発する光源である。緑色の光の中心波長は、例えば約５４０［ｎｍ］である。
Ｂ−ＢＬ７０２は、Ｂ−ＢＬ駆動回路５０が出力する駆動信号により青色の光を発する光源である。青色の光の中心波長は、例えば約４６０［ｎｍ］である。
蛍光体７０３は、例えば赤色の帯域の蛍光体であり、Ｇ−ＢＬ７０１及びＢ−ＢＬ７０２が点灯されることによって赤色の光が励起される。なお、蛍光体７０３は、黄色の帯域の蛍光体であってもよい。なお、赤色の帯域とは、例えば約６２０ｎｍ〜７５０ｎｍである。黄色の帯域とは、例えば約５７０ｎｍ〜５９０ｎｍである。以下、本実施形態では、蛍光体７０３が赤色の蛍光体の例を説明する。
【００５４】
ビデオゲイン調整部８０は、ＢＬ駆動制御部２０Ａが出力した映像信号制御値に応じて、ＲＧＢの映像信号のうち、Ｂ信号のゲインまたはＲ信号のゲインを調整し、ゲイン調整後の映像信号を表示部４上に表示させる。
【００５５】
図７は、本実施形態に係るバックライトに用いられる光源の断面図である。図７に示すように、ハイブリッドＢＬ７０は、基板７０４、緑色ＬＥＤ７０１Ｇ、青色ＬＥＤ７０２Ｂ、および蛍光体７０３を含んで構成される。
緑色ＬＥＤ７０１Ｇは、基板７０４の上に形成されている。
青色ＬＥＤ７０２Ｂは、基板７０４の上に形成されている。
蛍光体７０３は、緑色ＬＥＤ７０１Ｇと青色ＬＥＤ７０２Ｂとの上に形成されている。なお、バックライト装置２Ａでは、例えば、表示部４の周辺に複数のハイブリッドＢＬ７０を配置し、これらの光源から発せられた光を拡散して表示部４に対して照明を行う。
【００５６】
ハイブリッドＢＬ７０は、図７に示した構造のため、緑色ＬＥＤ７０１を点灯させると、緑色の光に加えて、赤色の光も発せられる。また、青色ＬＥＤ７０２を点灯させると、青色の光に加えて、赤色の光も発せられる。ハイブリッドＢＬ７０では、この緑色ＬＥＤ７０１と青色ＬＥＤ７０２が点灯されることで、上述のように、緑色と青色が点灯し、蛍光体７０３の赤色が励起される。そして、ハイブリッドＢＬ７０は、この３色の光が混合されることで、白色の光を生成する。
また、例えば、赤色の光の中心波長は、約６８０ｎｍであり、緑色の光の中心波長は約５２０ｎｍであり、青色の光の中心波長は約４７０ｎｍである。従って、図７に示したハイブリッドＢＬ７０では、白色を実現するための３色のうち、一番波長が長い光源を蛍光体７０３で実現している。
【００５７】
図８は、本実施形態に係るＢＬ駆動制御部２０Ａの概略構成のブロック図である。図８に示すように、ＢＬ駆動制御部２０Ａは、ＢＬ特性記憶部２０１、ＢＬ輝度算出部２０２、目標輝度算出部２０３、Ｒ輝度−駆動値変換部２０７、Ｇ輝度−駆動値変換部２０８、Ｂ輝度−駆動値変換部２０９、駆動値制限部２１０Ａ、及び比較部２１１を備える。なお、第１実施形態のＢＬ駆動制御部２０と同じ機能を有する機能部については、同じ符号を用いて説明を省略する。
【００５８】
比較部２１１は、Ｒ輝度−駆動値変換部２０７及びＢ輝度−駆動値変換部２０９がそれぞれ出力するＲバックライト駆動値とＢバックライト駆動値とを比較する。比較部２１１は、比較した結果に基づいて、Ｂ−ＢＬ７０２の駆動値であるＢバックライト駆動値を再作成し、再作成したＢバックライト駆動値を駆動値制限部２１０Ａに出力する。また、比較部２１１は、比較した結果に基づいて、ＲＧＢの映像信号のうち、Ｂ信号のゲインの指示（Ｂビデオゲインともいう）またはＲ信号のゲインの指示（Ｒビデオゲインともいう）を作成し、作成したＢ信号のゲインの指示またはＲ信号のゲインの指示を映像信号制御値としてビデオゲイン調整部８０に出力する。
【００５９】
駆動値制限部２１０Ａには、比較部２１１が出力したＢバックライト駆動値と、Ｇ輝度−駆動値変換部２０８が出力したＧバックライト駆動値とが入力される。駆動値制限部２１０Ａは、入力されたバックライト駆動値が、予め定められている最大値未満であるか否かを判別する。駆動値制限部２１０は、入力されたバックライト駆動値が、予め定められている最大値以上である場合、最大値を超えているバックライト駆動値に応じて、他のバックライト駆動値も制限する。駆動値制限部２１０Ａは、比較の結果、入力されたバックライト駆動値が、予め定められている最大値未満である場合、入力されたバックライト値に対して制限を行わない。駆動値制限部２１０Ａには、制限後のＧバックライト駆動値をＧ−ＢＬ駆動回路４０に出力し、制限後のＢバックライト駆動値をＢ−ＢＬ駆動回路５０に出力する。
【００６０】
ビデオゲイン調整部８０は、映像出力装置３から入力された映像信号の大きさを、ＢＬ駆動制御部２０Ａの比較部２１１が出力した映像信号制御値に応じて制御し、制御した映像信号を表示部４に表示させる。
【００６１】
次に、バックライト装置２Ａが行う処理について説明する。図９は、本実施形態に係るバックライト装置２Ａが行う処理手順のフローチャートである。なお、図９において、ステップＳ１０１〜Ｓ１０８の処理は、キャリブレーション時にバックライト装置２Ａによって行われる処理である。また、ステップＳ１０９〜Ｓ１１７の処理は、ホワイトバランス設定時にバックライト装置２Ａによって行われる処理である。
【００６２】
まず、キャリブレーション時の処理について説明する。
（ステップＳ１０１）利用者は、表示部４の画面上に、カラーセンサ５を設置する。次に、映像出力装置３は、赤色の映像信号をバックライト装置２Ａに出力する。次に、バックライト装置２Ａは、映像出力装置３が出力した映像信号を、表示部４の画面上に表示する。
（ステップＳ１０２）赤色の映像信号が表示部４の画面上に表示されているとき、例えば映像出力装置３の指示に応じて目標輝度算出部２０３は、ＢＬ駆動値を青色付近になるように設定する。
【００６３】
（ステップＳ１０３）映像出力装置３は、青色の映像信号をバックライト装置２Ａに出力する。次に、バックライト装置２Ａは、映像出力装置３が出力した映像信号を、表示部４の画面上に表示する。
（ステップＳ１０４）青色の映像信号が表示部４の画面上に表示されているとき、例えば映像出力装置３の指示に応じて目標輝度算出部２０３は、ＢＬ駆動値を青色付近になるように設定する。
【００６４】
（ステップＳ１０５）映像出力装置３は、白色の映像信号をバックライト装置２Ａに出力する。次に、バックライト装置２Ａは、映像出力装置３が出力した映像信号を、表示部４の画面上に表示する。
（ステップＳ１０６）白色の映像信号が表示部４の画面上に表示されているとき、例えば映像出力装置３の指示に応じて目標輝度算出部２０３は、ＢＬ駆動値を緑色付近になるように設定する。
（ステップＳ１０７）白色の映像信号が表示部４の画面上に表示されているとき、例えば映像出力装置３の指示に応じて目標輝度算出部２０３は、ＢＬ駆動値を白色付近になるように設定する。
【００６５】
（ステップＳ１０８）ＢＬ駆動制御部２０Ａは、ステップＳ１０２のときカラーセンサ５によって測定された画面表示色（ＸＹＺ値；（１１）色）を取得し、取得した画面表示色を原色校正点記憶部２０１１に記憶させる。次に、ＢＬ駆動制御部２０Ａは、ステップ１０４のときカラーセンサ５によって測定された画面表示色（ＸＹＺ値；（１２）色）を取得し、取得した画面表示色を原色校正点記憶部２０１１に記憶させる。次に、ＢＬ駆動制御部２０は、ステップＳ１０６のときカラーセンサ５によって測定された画面表示色（ＸＹＺ値；（１３）色）を取得し、取得した画面表示色を原色校正点記憶部２０１１に記憶させる。なお、（１）〜（３）色の関するデータを、原色校正点データという。次に、ＢＬ駆動制御部２０は、ステップＳ１０７のときカラーセンサ５によって測定された画面表示色（ＸＹＺ値；（１４）色）を取得し、取得した画面表示色を白色校正点記憶部２０１２に記憶させる。
以上で、キャリブレーション処理を終了する。なお、キャリブレーションに要する時間は、例えば１分間である。なお、キャリブレーション終了後、利用者は、カラーセンサ５を表示部４から外す。
【００６６】
次に、ホワイトバランス設定時の処理について説明する。
（ステップＳ１０９）ＢＬ輝度算出部２０２は、原色校正点記憶部２０１１に記憶されている原色校正点データ（（１１）〜（１３）色）に基づいて、バックライトの色空間であるＲＧＢ輝度とＸＹＺ値を交互に変換する色空間変換係数を周知の技術によって求める。
（ステップＳ１１０）ＢＬ輝度算出部２０２は、白色校正点記憶部２０１２に記憶されている白色校正点データ（（１４）色）を、求めた色空間変換係数を用いてＲＧＢ輝度に変換する。
【００６７】
（ステップＳ１１１）ＢＬ輝度算出部２０２は、ステップＳ１１０で変換したＲＧＢ輝度から、ＲＧＢ独立の１Ｄ＿ＬＵＴである輝度−駆動値変換ＬＵＴを作成する。
【００６８】
（ステップＳ１１２）目標輝度算出部２０３は、ＢＬ輝度算出部２０２によって変換された色空間変換係数を用いて、目標白点記憶部１０に記憶されている目標白点（ＸＹＺ値）をバックライトの色空間であるＲＧＢの輝度目標値に変換する。次に、目標輝度算出部２０３は、変換したＲＧＢの輝度目標値それぞれを、Ｒ輝度−駆動値変換部２０７〜Ｂ輝度−駆動値変換部２０９に出力する。
【００６９】
（ステップＳ１１３）Ｒ輝度−駆動値変換部２０７〜Ｂ輝度−駆動値変換部２０９それぞれは、目標輝度算出部２０３が出力したＲ輝度目標値２０４〜Ｂ輝度目標値２０６それぞれを、各駆動値変換部に入力してバックライト駆動値を作成する。
【００７０】
（ステップＳ１１４）駆動値制限部２１０Ａには、比較部２１１が出力したＢバックライト駆動値と、Ｇ輝度−駆動値変換部２０８が出力したＧバックライト駆動値とが入力される。次に、駆動値制限部２１０Ａは、入力されたバックライト駆動値が、予め定められている最大値未満であるか否かを判別する。駆動値制限部２１０Ａは、入力されたバックライト駆動値が、予め定められている最大値以上である場合、最大値を超えているバックライト駆動値に応じて、他のバックライト駆動値も制限する。駆動値制限部２１０Ａは、比較の結果、入力されたバックライト駆動値が、予め定められている最大値未満である場合、入力されたバックライト値に対して制限を行わない。
【００７１】
（ステップＳ１１５）ＢＬ駆動制御部２０は、作成した制限後のバックライト駆動値それぞれを、Ｇ−ＢＬ駆動回路４０及びＢ−ＢＬ駆動回路５０に出力する。次に、Ｇ−ＢＬ駆動回路４０及びＢ−ＢＬ駆動回路５０それぞれは、入力されたバックライト駆動値に応じて、Ｇ−ＢＬ７０１及びＢ−ＢＬ７０２を駆動して発光させる。
（ステップＳ１１６）ビデオゲイン調整部８０は、ＢＬ駆動制御部２０Ａが出力した映像信号制御値に応じて、ＲＧＢの映像信号のうち、Ｂ信号のゲインまたはＲ信号のゲインを調整する。
（ステップＳ１１６）ビデオゲイン調整部８０は、ゲイン調整後の映像信号を表示部４上に表示させる。
以上でホワイトバランス設定時の処理を終了する。本実施形態では、これらの処理によって、利用者が指定して目標白点（Ｙｘｙ値）に対するバックライト駆動値を得ることができる。
【００７２】
以上のように、本実施形態の表示装置１Ａにおいて、記憶部（例えばＢＬ特性記憶部２０１）は、バックライトを第４の色（例えば青色）で発光させたときに第６の色（例えば赤色）の画像信号に基づき表示部に表示された画像の色の測定値である第２の測定値を、第１の原色校正点データとして記憶し、バックライトを第４の色（例えば青色）で発光させたときに第７の色（例えば青色）の画像信号に基づき表示部に表示された画像の色の測定値を、第２の原色校正点データとして記憶し、バックライトを第３の色（例えば緑色）で発光させたときに第５の色（例えば白色）の画像信号に基づき表示部に表示された画像の色の測定値を、第３の原色校正点データとして記憶し、バックライト輝度算出部（例えばＢＬ輝度算出部２０２）は、第１の原色校正点データ〜第３の原色校正点データを用いて、色空間変換係数を求める。
【００７３】
この構成によって、本実施形態の表示装置１Ａでも、第１実施形態と同様に、予め外付けカラーセンサ５を用いた１分程度のキャリブレーションを行い、白点ＸＹＺ値をＢＬ色空間の輝度値に変換する色空間変換係数を求める。そして、本実施形態では、この色空間変換係数により、ＹｘｙまたはＸＹＺ単位で指定される任意の白点に対する原色ＢＬ駆動値を算出できる。また、本実施形態では、異なる白点を表示する際も、再度のキャリブレーションは必要ない。
本実施形態では、このため従来必要だったカラーセンサや，目標白点ごとのキャリブレーション作業を省略できる効果がある。そして、本実施形態の表示装置１Ａを用いてディスプレイ出荷時にキャリブレーションを行うことで、内蔵ＢＬセンサや外付けカラーセンサを必要とせず、ディスプレイを任意白点（Ｙｘｙ）値で表示できる。
【００７４】
以上において、本発明では、バックライト装置２（または２Ａ）を表示装置のバックライトに用いる例を説明したが、これに限られない。バックライト装置２（または２Ａ）は、例えば、プロジェクタの光源、レーザーテレビ等の光源に用いてもよい。また、本実施形態のバックライト装置２（または２Ａ）は、携帯情報端末、ナビゲーションシステム、公告表示灯、電子看板（デジタルサイネージ；Ｄｉｇｉｔａｌ  Ｓｉｇｎａｇｅ）等にも適用してもよい。
【００７５】
なお、実施形態の図１の表示装置１または図６の表示装置１Ａの機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ−ＲＯＭ等の可搬媒体、ＵＳＢ（Ｕｎｉｖｅｒｓａｌ  Ｓｅｒｉａｌ  Ｂｕｓ）  Ｉ／Ｆ（インタフェース）を介して接続されるＵＳＢメモリ、コンピュータシステムに内蔵されるハードディスク等の記憶装置のことをいう。さらに「コンピュータ読み取り可能な記録媒体」とは、サーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００７６】
１、１Ａ…表示装置、２、２Ａ…バックライト装置、３…映像出力装置、４…表示部、５…カラーセンサ、１０…目標白点記憶部、２０、２０Ａ…ＢＬ駆動制御部、３０…Ｒ−ＢＬ駆動回路、４０…Ｇ−ＢＬ駆動回路、５０…Ｂ−ＢＬ駆動回路、６０…３原色ＢＬ、６１…Ｒ−ＢＬ、６２、７０１…Ｇ−ＢＬ、６３、７０２…Ｂ−ＢＬ、７０…ハイブリッドＢＬ、８０…ビデオゲイン調整部、２０１…ＢＬ特性記憶部、２０２…ＢＬ輝度算出部、２０３…目標輝度算出部、２０７…Ｒ輝度−駆動値変換部、２０８…Ｇ輝度−駆動値変換部、２０９…Ｂ輝度−駆動値変換部、２１０、２１０Ａ…駆動値制限部、２１１…比較部、７０３…蛍光体、２０１１…原色校正点記憶部、２０１２…白色校正点記憶部
【図１】
2015119447.tif 000003
【図２】
2015119447.tif 000004
【図３】
2015119447.tif 000005
【図４】
2015119447.tif 000006
【図５】
2015119447.tif 000007
【図６】
2015119447.tif 000008
【図７】
2015119447.tif 000009
【図８】
2015119447.tif 000010
【図９】
2015119447.tif 000011